(57)【要約】【課題】噴出器のスパウト、またはそれを備える噴出器において、簡単な構成で、使用時における容器内容物の飛散を防止し、使用者の衣服を汚すなどの問題を解消する。【解決手段】容器１０の口部１０ａに噴出装置Ｐを取り付ける。噴出装置には、使用するとき、手を掛けて押し下げるスパウト２６を設ける。スパウト２６は、釦状の本体部２６ａとその外周から径方向に嘴状に突出する噴出管２６ｂとからなる。噴出管の先端には、開閉キャップ２７を取り付ける。開閉キャップは、胴部２７ａと頭部２７ｂとからなり、頭部には噴出口２７ｅをあけ、スライドすることによりその噴出口を開閉する。【選択図】      図１
2005205359.tif 000002
【特許請求の範囲】
【請求項１】
嘴状の噴出管を有し、その噴出管の先の噴出口から容器内容物を噴出する噴出器のスパウトにおいて、
前記噴出管の先端に、スライドすることにより前記噴出口を開閉する開閉キャップを取り付けることを特徴とする、噴出器のスパウト。
【請求項２】
嘴状の噴出管を有し、その噴出管の先の噴出口から容器内容物を噴出する噴出器のスパウトにおいて、
前記噴出管の先端側部分を切り離して本体側部分に対して接離自在に設けることを特徴とする、噴出器のスパウト。
【請求項３】
前記先端側部分に、それを前記本体側部分に対して分離するときに爪を掛ける突起を設けることを特徴とする、請求項２に記載の噴出器のスパウト。
【請求項４】
請求項１ないし３のいずれか１に記載のスパウトを備えることを特徴とする、噴出器。
【発明の詳細な説明】
【技術分野】
【０００１】
この発明は、スパウトを押し込んだとき、容器の内容物をスパウトの先の噴出口から外部に向けて噴出する、ポンプ式やエアゾール式などの噴出器、および容器を押しつぶしたとき、容器の内容物をスパウトの噴出口から外部に押し出す、押出し式などの噴出器に関する。ならびに、そのような噴出器において、嘴状の噴出管を有し、その噴出管の先の噴出口から容器内容物を噴出するスパウトに関する。
【背景技術】
【０００２】
従来、ハンドソープ等の噴出器では、例えば、容器の口部にポンプ式噴出装置を取り付けてなり、使用時にスパウトを押し込んでステムを押し下げ、ポンプ式噴出装置を作動して容器の内容物を汲み上げ、スパウト内を通してスパウトに備える嘴状の噴出管から外部へと噴出していた。
【０００３】
ところで、このような粘性の高い容器内容物を使用する噴出器では、使用を終えたとき噴出管の先端噴出口まわりに容器内容物が残り、それが時間の経過とともに漏れ出して固化し、噴出口を狭め、次に使用するとき内容物を予期せぬ方向に、しかも勢いよく噴出して例えば使用者の衣服を汚すなどのトラブルを生ずる問題があった。
【０００４】
従来の噴出器の中には、このような問題を解消すべく、例えば、下部ノズル形成体と上部ノズル形成体とを接合して下向き配置の噴出口を形成し、加えて下部ノズル形成体に、自己閉鎖力により噴出口を閉鎖する一方、内容物の噴出圧力により噴出口を開く舌片状可撓弁を設けるものがある。
【０００５】
【特許文献１】特開２００２−３３７９１３号公報
【特許文献２】特開２００３−２９２０１８号公報
【特許文献３】特開２００２−３７０７６３号公報
【発明の開示】
【発明が解決しようとする課題】
【０００６】
ところが、例えばこのような噴出器では、スパウトに、下部ノズル形成体と上部ノズル形成体と舌片状可撓弁を設けなければならないから、部品点数が多くなって、構造が複雑となり、製造組立てに手数がかかり、コスト高となる問題があった。
【０００７】
そこで、この発明の目的は、噴出器のスパウト、またはそれを備える噴出器において、簡単な構成で、使用時における容器内容物の飛散を防止し、使用者の衣服を汚すなどの問題を解消することにある。
【課題を解決するための手段】
【０００８】
かかる目的を達成すべく、この発明の第１の態様は、嘴状の噴出管を有し、その噴出管の先の噴出口から容器内容物を噴出する噴出器のスパウトにおいて、噴出管の先端に、スライドすることにより噴出口を開閉する開閉キャップを取り付ける、ことを特徴とする。
【０００９】
そして、使用するときは、開閉キャップをスライドして噴出管の先の噴出口を開き、使用後は、開閉キャップをスライドして該噴出口を閉じる。
【００１０】
上述の目的を達成すべく、この発明の第２の態様は、嘴状の噴出管を有し、その噴出管の先の噴出口から容器内容物を噴出する噴出器のスパウトにおいて、噴出管の先端側部分を切り離して本体側部分に対して接離自在に設ける、ことを特徴とする。
【００１１】
そして、常時は、噴出管の先端側部分を本体側部分に接続して使用する。使用により先端側部分の噴出口まわりが汚れたときは、噴出管の先端側部分を本体側部分から分離して洗浄する。
【００１２】
この第２の態様の場合、噴出管の先端側部分に、それを本体側部分に対して分離するときに爪を掛ける突起を設けるとよい。
【００１３】
そして、噴出管の先端側部分を本体側部分から分離するとき、突起に爪を掛け、洗浄後に本体側部分に接続するとき、突起を取り付け向きの目安とする。
【００１４】
上述の目的を達成すべく、この発明の第３の態様は、噴出器にあって、上記第１や第２の態様のスパウトを備える、ことを特徴とする。
【発明の効果】
【００１５】
請求項１に記載の発明によれば、使用するときは、開閉キャップをスライドして噴出管の先の噴出口を開き、使用後は、開閉キャップをスライドして該噴出口を閉じるので、使用後に、噴出口まわりに残った容器内容物が時間の経過とともに噴出口まわりから流れ出たり固化したりすることを防ぎ、簡単な構成で、次に使用するとき内容物を予期せぬ方向に、しかも勢いよく噴出して例えば使用者の衣服を汚すなどのトラブルの発生を防ぐことができる。
【００１６】
請求項２に記載の発明によれば、常時は、噴出管の先端側部分を本体側部分に接続して使用するが、使用により先端側部分の噴出口まわりが汚れたときは、噴出管の先端側部分を本体側部分から分離して洗浄するので、噴出口まわりに残った容器内容物が時間の経過とともに噴出口まわりから流れ出て固化することを防ぎ、簡単な構成で、次に使用するとき内容物を予期せぬ方向に、しかも勢いよく噴出して例えば使用者の衣服を汚すなどのトラブルの発生を防ぐことができる。
【００１７】
請求項３に記載の発明によれば、請求項２に記載のスパウトにおいて、噴出管の先端側部分に、それを本体側部分に対して分離するときに爪を掛ける突起を設け、噴出管の先端側部分を本体側部分から分離するとき、突起に爪を掛け、洗浄後に本体側部分に接続するとき、突起を取り付け向きの目安とするので、加えて、噴出管の先端側部分を本体側部分に対して接離容易とすることができる。また、本体側部分から分離して先端側部分を手元に置いたとき、突起により先端側部分の転がりを防止することができる。
【００１８】
請求項４に記載の発明によれば、噴出器にあって、請求項１ないし３のいずれか１に記載のスパウトを備えるので、上述した各効果を有するスパウトを備えた噴出器を提供することができる。
【発明を実施するための最良の形態】
【００１９】
以下、図面を参照しつつ、この発明の実施の最良形態につき説明する。
図１には、この発明に係るハンドソープ用噴出器の要部縦断面を示す。
【００２０】
図中符号１０は、容器である。容器１０は、プラスチック材料でボトル形状につくり、その口部１０ａ外周に雄ねじを設け、図示省略するが、この例では、内部に、内容物としてハンドソープを収納する。
【００２１】
その容器１０の口部１０ａには、ポンプ式噴出装置Ｐを取り付ける。
ポンプ式噴出装置Ｐには、ネジキャップ１１を設ける。ネジキャップ１１は、内周に雌ネジを有するとともに、頂部１１ａ中央に中心孔１１ｂをあけてなる。そして、頂部１１ａをシリンダ１２のフランジ１２ａ上に乗せ、容器１０の口部１０ａに被せてネジ付けてなる。
【００２２】
シリンダ１２は、途中に三つの段部１２ｂ・１２ｃ・１２ｄを設けて図中下方に向け同心で順次小径につくる。
【００２３】
そのシリンダ１２の上部は、第１の段部１２ｂの外周に前記フランジ１２ａを設けるとともに、第２の段部１２ｃのすぐ上に径方向に貫通する空気吸込み孔１２ｅをあけ、ネジキャップ１１の中心孔１１ｂを通して上端部１２ｆを上向きに突出する。
【００２４】
他方、シリンダ１２の下部は、第３の段部１２ｄ位置の内部に吸込口１２ｇを設け、またその下に管取付口１２ｈを続けて設ける。そして、その管取付口１２ｈ内にパイプ１３の上端部を圧入し、そのパイプ１３内と吸込口１２ｇとを連通してなる。反対に、吸込口１２ｇのすぐ上には、下方に向けて漸次小径となるテーパ付きの弁座１２ｉを続けて設ける。
【００２５】
このようなシリンダ１２内には、ボール状の逆止弁１９を入れて弁座１２ｉ上に乗せてから、コイルスプリング２０を挿入して第３の段部１２ｄ上に乗せる。その後、開閉弁２２を取り付けた、ピストンを兼ねるステム２１を入れる。
【００２６】
ステム２１は、管状で、内部に噴出路２１ａを設け、その噴出路２１ａと連通して径方向に横孔２１ｂを設け、その横孔２１ｂ位置の外周に円周溝を形成する。
【００２７】
一方、開閉弁２２は、円筒形状で、中間部に内面から内向きに突出して環状凸部２２ａを設ける。そして、その環状凸部２２ａを前記円周溝内にはめ付け、開閉弁２２の外周上下部をシリンダ１２の内周面に摺動自在に押し当ててなる。
【００２８】
シリンダ１２の上端には、カラーリング２５を設ける。そのカラーリング２５は、外筒部２５ａと内筒部２５ｂとを同心で一体に形成する。そして、シリンダ１２内に内筒部２５ｂを入れて下端を前記開閉弁２２の上端に突き当て、ステム２１を介してコイルスプリング２０を少し圧縮するとともに、外筒部２５ａをシリンダ１２の上端部１２ｆに被せて掛け止めしてなる。
【００２９】
これにより、コイルスプリング２０の付勢力でステム２１を押し上げ、その円周溝の下段部を前記開閉弁２２の環状凸部２２ａの下面に押し当てて、噴出路２１ａとシリンダ室２８間との連通を遮断する。ステム２１は、カラーリング２５の内筒部２５ｂ内を通して上向きに突出する。そのステム２１の上端には、スパウト２６を取り付ける。
【００３０】
スパウト２６は、釦状の本体部２６ａとその外周から径方向に嘴状に突出する噴出管２６ｂとからなる。図２からも判るとおり、本体部２６ａは、内部中央に筒部２６ｃを下向きに設け、その筒部２６ｃと噴出管２６ｂ間を横長筒部２６ｄでつなぎ、筒部２６ｃの下端部から噴出管２６ｂ先端へ至る排出路２６ｅを内部に形成する。また、噴出管２６ｂは、先端内に、基部を支持部２６ｆで支持して棒状栓２６ｇを管芯に設け、先端を開口から外向きに突出する。支持部２６ｆには、排出路２６ｅを通過するハンドソープを開口へと通す通孔を複数開ける。
【００３１】
このようなスパウト２６には、噴出管２６ｂの先端に開閉キャップ２７を取り付ける。開閉キャップ２７は、円筒状の胴部２７ａとそれより大径の頭部２７ｂとからなる。胴部２７ａには、中心穴２７ｃを設けるとともに、その中心穴２７ｃを中心とする環状溝２７ｄを設ける。また、頭部２７ｂには、中心穴２７ｃと連通して噴出口２７ｅをあける。
【００３２】
そして、中心穴２７ｃに棒状栓２６ｇを入れ、環状溝２７ｄに噴出管２６ｂの先端をはめ込んで、噴出管２６ｂの先端に開閉キャップ２７を取り付ける。なお、このとき噴出管２６ｂと開閉キャップ２７とを不図示の凹凸をもって係合し、開閉キャップ２７が容易に外れないようにする。その後、開閉キャップ２７を取り付けたスパウト２６は、筒部２６ｃ内にステム２１の上端部を圧入し、ステム２１の上端に取り付けて排出路２６ｅと噴出路２１ａとを連通する。
【００３３】
そして、不使用時は、図３（Ａ）に示すように、開閉キャップ２７をスライドして押し込み、その噴出口２７ｅ内に棒状栓２６ｇの先端を入れて噴出口２７ｅを完全に閉じる。使用時は、図３（Ｂ）に示すように、開閉キャップ２７をスライドして引き出し、噴出口２７ｅから棒状栓２６ｇの先端を抜き出す。
【００３４】
その後、噴出口２７ｅを目的部位に向けてスパウト２６の本体部２６ａに手を掛けてコイルスプリング２０に抗してスパウト２６を図１中矢印Ａ方向に押し下げる。すると、ステム２１をシリンダ１２内に押し込み、シリンダ１２内面との摩擦抵抗により開閉弁２２はそのままの位置でステム２１が動き、開閉弁２２の環状凸部２２ａの上面に円周溝の上段部を接触する。
【００３５】
そして、ステム２１の押し込みとともに、開閉弁２２を変形して横孔２１ｂを開き、シリンダ室２８と噴出路２１ａとを連通する一方、シリンダ室２８内の圧を高め、シリンダ室２８内のハンドソープを横孔２１ｂを通して噴出路２１ａに送り出し、排出路２６ｅに入れ、その排出路２６ｅを通過して支持部２６ｆの通孔を通し、中心孔２７ｃを通過して噴出口２７ｅから外部に向けて噴出する。
【００３６】
スパウト２６から手を離して押し込みを解除すると、コイルスプリング２０でステム２１を押し上げる。そして、シリンダ１２内面との摩擦抵抗により開閉弁２２がそのままの位置でステム２１が動き、環状凸部２２ａの内面で横孔２１ｂを塞いで噴出路２１ａとシリンダ室２８間の連通を遮断する。そして、開閉弁２２の環状凸部２２ａの下面に円周溝の下段部を接触する。
【００３７】
それから、ステム２１と一緒に開閉弁２２をスライドし、図１の状態に復帰するとき、シリンダ室２８内を負圧化して逆止弁１９を開き、容器１０内のハンドソープを吸込口１２ｇからシリンダ室２８内に吸い上げる。
【００３８】
以上の繰り返しにより、ポンプ式噴出装置Ｐにより容器１０内のハンドソープを汲み上げて噴出口２７ｅから外部に向けて噴出する。
【００３９】
使用後は、開閉キャップ２７をスライドして、図３（Ａ）に示すように再び噴出口２７ｅを閉じる。これにより、使用後に、噴出口２７ｅまわりに残ったハンドソープが時間の経過とともに噴出口２７ｅまわりから漏れ出たり固化したりすることを防ぎ、簡単な構成で、次に使用するときハンドソープを予期せぬ方向に、しかも勢いよく噴出して例えば使用者の衣服を汚すなどのトラブルの発生を防ぐことができる。
【００４０】
さて、上述した例では、噴出管２６ｂの先端に、スライドすることにより噴出口２７ｅを開閉する開閉キャップ２７を取り付けた場合について説明した。しかし、例えば図４に示すように、噴出管２６ｂの先端側部分３０を切り離して本体側部分３１に対して接離自在に設けるようにしてもよい。
【００４１】
すなわち、先端側部分３０には、一端内周に嵌合段部３０ａを形成し、図５にも示すように外周に突起３０ｂを軸方向に形成する。他方、本体側部分３１には、先端外周に嵌合段部３１ａを形成する。図６（Ａ）に示すように、先端側部分３０の嵌合段部３０ａには係合凸部３０ｃを設け、本体側部分３１の嵌合段部３１ａには係合凹部３１ｂを設ける。そして、図６（Ｂ）に示すように、嵌合段部３０ａと嵌合段部３１ａとをはめ合わせて係合凸部３０ｃと係合凹部３１ｂとを係合し、容易に外れないように噴出管２６ｂの先端側部分３０を本体側部分３１に接続して使用する。
【００４２】
使用により先端側部分３０の噴出口２７ｅまわりが汚れたときは、突起３０ｂに爪を掛けて先端側部分３０に外向きの外力Ｂを加え、係合凸部３０ｃと係合凹部３１ｂとの係合を外して、図６（Ａ）に示すように噴出管２６ｂの先端側部分３０を本体側部分３１から分離する。そして、先端側部分３０を洗浄して噴出口２７ｅまわりの汚れを落とす。
【００４３】
これにより、噴出口２７ｅまわりに残ったハンドソープが時間の経過とともに噴出口２７ｅまわりから流れ出て固化することを防ぎ、簡単な構成で、次に使用するときハンドソープを予期せぬ方向に、しかも勢いよく噴出して例えば使用者の衣服を汚すなどのトラブルの発生を防ぐことができる。
【００４４】
洗浄後は、突起３０ｂを取り付け向きの目安として、再び図６（Ｂ）に示すように、嵌合段部３０ａと嵌合段部３１ａとをはめ合わせて係合凸部３０ｃと係合凹部３１ｂとを係合し、噴出管２６ｂの先端側部分３０を本体側部分３１に接続する。
【００４５】
図示例では、突起３０ｂを設けることで、噴出管の先端側部分３０を本体側部分３１から分離するときにその突起３０ｂに爪を掛け、洗浄後に本体側部分３１に接続するとき、突起３０ｂを取り付け向きの目安とするので、噴出管２６ｂの先端側部分３０を本体側部分３１に対して接離容易とすることができる。また、先端側部分３０を取り外したとき、突起３０ｂで転がりを防止することもできる。
【００４６】
ところで、上述した例では、スパウト２６を押し下げ操作することにより、ピストンを兼ねるステム２１を往復動して容器１０のハンドソープを外部に噴射するポンプ式噴出装置Ｐを備えるポンプ式噴出器に適用した場合について説明した。しかし、スパウトを操作することにより出口弁を開き、容器の内容物を噴射材の圧力で外部に噴出する噴出装置を備えるエアゾール式噴出器にも同様に適用することができる。
【００４７】
また、容器の口部に押出し式噴出器用噴出装置を取り付け、容器を押しつぶすことにより容器の内容物をスパウトの噴出口から外部に噴出する押出し式噴出器にも、同様に適用することができる。
【図面の簡単な説明】
【００４８】
【図１】この発明に係るハンドソープ用噴出器の要部縦断面図である。
【図２】その噴出器に備える、開閉キャップを取り外して示すスパウトの縦断面図である。
【図３】（Ａ）はその開閉キャップを閉じた状態、（Ｂ）は開いた状態を示すスパウトの噴出管先端部分の拡大断面図である。
【図４】他例であるスパウトの縦断面図である。
【図５】その噴出管の先端側部分の斜視図である。
【図６】（Ａ）は噴出管の先端側部分を本体側部分から分離した状態、（Ｂ）は先端側部分を本体側部分に接続した状態を示す噴出管先端部分の断面図である。
【符号の説明】
【００４９】
１０    容器
２６    スパウト
２６ｂ  噴出管
２７    開閉キャップ
２７ｅ  噴出口
３０    噴出管の先端側部分
３０ｂ  突起
３１    噴出管の本体側部分
Ｐ      ポンプ式噴出装置
【図１】
2005205359.tif 000003
【図２】
2005205359.tif 000004
【図３】
2005205359.tif 000005
【図４】
2005205359.tif 000006
【図５】
2005205359.tif 000007
【図６】
2005205359.tif 000008